(57)【要約】スマートフォンなどの携帯通信端末とは別の器具を持ち歩く必要がなく、かつ、撮影のたびに着脱する手間を省くことができる構成でありながら、自分撮りを行う際に所望の構図で撮影することが可能な携帯通信端末用ケースを提供する。携帯通信端末（１００）の後面を覆う後壁部（１２）と側面を覆う側壁部（１３）とを備えるケース本体（１０）と、ケース本体（１０）の後壁部（１２）に一体に設けた支持部材（２０）とを備える。支持部材（２０）は、後壁部（１２）の表面（１２ａ）の領域（Ａ）内に格納された格納位置と、格納位置から後壁部（１２）の表面（１２ａ）の領域（Ａ）外に引き出した引出位置との間で伸縮可能なアーム部（２５）と、アーム部（２５）の先端に設けた把持部（２７）と、アーム部（２７）をケース本体（１０）の前後方向に屈曲可能とするヒンジ部（２８）とを備える。
2017014227.tif 000002
【特許請求の範囲】
【請求項１】
前面に表示画面を有する携帯通信端末の後面を覆う後壁部と側面の少なくとも一部を覆う側壁部とを備えるケース本体と、
前記ケース本体の前記後壁部に一体に設けられた伸縮可能なアーム部と、前記アーム部の先端に設けた把持部とを含む支持部材を備え、
前記支持部材は、前記後壁部の表面の領域内に格納された格納位置と、前記格納位置から前記後壁部の表面の領域外に引き出した引出位置との間で伸縮が可能であることを特徴とする携帯通信端末用ケース。
【請求項２】
前記アーム部は、前記後壁部の表面に沿う薄板状に形成された複数の連結材を備え、
前記複数の連結材が互いに突出・収容可能に連結した構成であることを特徴とする請求項１に記載の携帯通信端末用ケース。
【請求項３】
前記支持部材は、前記アーム部を前記ケース本体の前後方向に屈曲可能とするヒンジ部を備えることを特徴とする請求項１又は２に記載の携帯通信端末用ケース。
【請求項４】
前記支持部材は、
前記アーム部を収納可能な基部と、
前記基部を前記ケース本体の後壁部に対してその面内で回動可能とする軸部と、を備えることを特徴とする請求項１乃至３のいずれか１項に記載の携帯通信端末用ケース。
【発明の詳細な説明】
【技術分野】
【０００１】
本発明は、携帯通信端末を収納するための携帯通信端末用ケースに関し、詳細には、静止画や動画の撮影機能を備えた携帯通信端末を収納するためのケースに関する。
【背景技術】
【０００２】
近年、携帯電話などの携帯通信端末としていわゆるスマートフォンと呼ばれる電子デバイスが普及している。汎用的なスマートフォンは、通話機能や電子メールの送受信機能など通信端末としての機能だけでなく、静止画（写真）及び動画を撮影するための機能（撮影機能）を具備している。したがって、最近ではデジタルスチルカメラやビデオカメラの代わりにスマートフォンの撮影機能を使って人物や風景を撮影することが多くなっている。【０００３】
上記のようなスマートフォンは、薄板形状の本体部の前面中央に操作子を兼ねた表示画面（タッチパネル）を備えていると共に、本体部の前面又は背面の隅部に静止画又は動画を撮影するために用いられる撮像部（レンズ部）を備えている。【０００４】
ところで、撮影者がスマートフォンで自分自身を撮影するいわゆる自分撮り（自撮り）を行う場合、従来は、撮影者がスマートフォンを持っている腕を前方に伸ばして自分自身からスマートフォンを離すことで、被写体である自分自身とスマートフォンとの間に必要な距離を確保することが行われている。【０００５】
しかしながらこのやり方では、撮影者とスマートフォンとの距離が腕の長さ分しか取れないため、撮影者と背景を所望の構図で撮影することができなかった。特に撮影者自身を含む複数人を一緒に撮影したい場合、上記のやり方では十分に引いた位置から撮影ができず、全員と所望の背景が構図に入りきらないという不都合がある。【０００６】
そこで、スマートフォンで自分撮りを行う際の補助具として、特許文献１に示すような支持装置が考えられている。この特許文献１に示す支持装置は、スマートフォンなどの携帯端末を保持するための保持部と、該保持部から延伸する伸縮自在な棒状の支持部とを備えて構成されている。【０００７】
しかしながら、特許文献１に示す支持装置は、スマートフォンとは別の器具（装置）としてスマートフォンに取り付けて使用するものである。そのため、スマートフォンと一緒に常に持ち歩かなければならず、所持品が多くなるという問題がある。また、撮影する際にスマートフォンに取り付ける必要があるため、直ぐに撮影することができず絶好のシャッターチャンスを逃すおそれもある。さらに、スマートフォンに取り付けた状態では通話など他の機能を使用する際の邪魔になるうえ、そのままではスマートフォンをポケットや鞄に収納することができない。そのため、撮影の度にスマートフォンから取り外す必要があり、着脱に非常に手間がかかるという問題がある。
【先行技術文献】
【特許文献】
【０００８】
【特許文献１】実用新案登録第３１９６９６２号公報
【発明の概要】
【発明が解決しようとする課題】
【０００９】
本発明は上述の点に鑑みてなされたものであり、その目的は、スマートフォンなどの携帯通信端末とは別の器具や装置などを持ち歩く必要がなく、かつ、撮影の度に携帯通信端末に着脱する手間を省くことができる構成でありながら、自分撮りを行う際に所望の構図で撮影することが可能となる携帯通信端末用ケースを提供することを目的とする。
【課題を解決するための手段】
【００１０】
上記課題を解決するため、本発明にかかる携帯通信端末用ケース（１）は、前面に表示画面（１１１）を有する携帯通信端末（１００）の後面を覆う後壁部（１２）と側面の少なくとも一部を覆う側壁部（１３）とを備えるケース本体（１０）と、ケース本体（１０）の後壁部（１２）に一体に設けられた伸縮可能なアーム部（２５）と、アーム部（２５）の先端に設けた把持部（２７）とを含む支持部材（２０）を備え、この支持部材（２０）は、後壁部（１２）の表面（１２ａ）の領域（Ａ）内に格納された格納位置と、格納位置から後壁部（１２）の表面（１２ａ）の領域（Ａ）外に引き出した引出位置との間で伸縮が可能であることを特徴とする。【００１１】
本発明にかかる携帯通信端末用ケースによれば、ケース本体の後壁部に一体に設けた支持部材を備えることで、この支持部材でケース本体に収納したスマートフォンなどの携帯通信端末を自分自身から十分に離れた位置に支持することができる。これにより、スマートフォンなどの携帯通信端末の撮影機能を用いていわゆる自分撮りを行う際に、撮影者と携帯通信端末との十分な距離を確保でき、撮影者と背景を所望の構図で撮影することができる。特に撮影者自身を含む複数人を一緒に撮影したい場合でも、手持ちと比較して十分に引いた位置から撮影ができるため、全員と所望の背景が構図に入るようになる。そして、上記の支持部材は、撮影を行う際にのみアーム部を引出位置に引き出して使用することができ、それ以外のときはアーム部を格納位置に格納しておくことができる。したがって、従来の支持具のようにスマートフォンなどの携帯通信端末とは別の器具や装置を持ち歩く必要がなく、かつ、撮影の度に携帯通信端末に着脱する手間を省くことができるので、携帯通信端末の撮影機能を用いて自分撮りを行う際の利便性を飛躍的に向上させることができる。【００１２】
また、上記の携帯通信端末用ケース（１）のアーム部（２５）は、後壁部（１２）の表面（１２ａ）に沿う薄板状に形成された複数の連結材（２５ａ）を備え、これら複数の連結材（２５ａ）が互いに突出・収容可能に連結した構成であってよい。【００１３】
この構成によれば、簡単かつ軽量な構成でありながら、格納位置のアーム部のコンパクト化と引出位置のアーム部の十分な長さの確保との両立を図ることができる。また、ケース本体と支持部材を合せた厚さ寸法の薄型化を図ることができる。【００１４】
また、上記の携帯通信端末用ケースでは、支持部材（２０）のアーム部（２７）をケース本体（１０）の前後方向に屈曲可能とするヒンジ部（２８）を備えてもよい。【００１５】
この構成によれば、ヒンジ部でアーム部をケース本体の前後方向に屈曲させることができるので、支持部材でケース本体に収納された携帯通信端末を所望の角度に支持することが可能となる。したがって、自分撮りにおける撮影の構図の自由度を更に高めることができる。【００１６】
また、上記の携帯通信端末用ケースは、支持部材（２０）をケース本体（１０）の後壁部（１２）に対してその面内で回動可能とする軸部（２１）を備えてもよい。【００１７】
この構成によれば、支持部材に支持されたケース本体を縦位置（縦向き）と横位置（横向き）の両方に配置することができる。これにより、支持部材で支持した携帯通信端末を用いて縦向きの構図の撮影と横向きの構図の撮影の両方を行うことができる。したがって、携帯通信端末用ケースの支持部材を用いて携帯通信端末で自分撮りの撮影を行う際の利便性が更に向上する。【００１８】
なお、上記の括弧内の符号は、後述する実施形態の対応する構成要素の符号を本発明の一例として示したものである。
【発明の効果】
【００１９】
本発明にかかる携帯通信端末用ケースによれば、スマートフォンなどの携帯通信端末とは別の器具を持ち歩く必要がなく、かつ、撮影のたびに着脱する手間を省くことができる構成でありながら、携帯通信端末の撮影機能を用いて自分撮りを行う際に所望の構図で撮影することが可能となる。
【図面の簡単な説明】
【００２０】
【図１】本発明の一実施形態にかかるスマートフォン用ケースの全体構成を示す図で、ケース本体の正面側から見た斜視図である。
【図２】スマートフォン用ケースをケース本体の背面側から見た斜視図である。
【図３】図２のＸ−Ｘ矢視断面を概略的に示す図である。
【図４】スマートフォン用ケースを背面側から見た平面図で、図４Ａは支持部材を縦位置に配置した状態、図４Ｂは支持部材を横位置に回動させた状態を示す。
【図５】支持部材のアーム部を引き出す手順を示す図で、図５Ａは斜視図、図５Ｂは側断面図である。
【図６】支持部材のアーム部を更に引き出して延ばす手順を示す図で、図６Ａは斜視図、図６Ｂは側断面図である。
【図７】延ばしたアーム部を手前側に折り曲げる手順を示す図で、図７Ａは斜視図、図７Ｂは側断面図である。
【図８】スマートフォン用ケースの他の構成例を示す図である。
【発明を実施するための形態】
【００２１】
以下、添付図面を参照して本発明の実施形態を詳細に説明する。図１〜図４は、本発明の一実施形態にかかるスマートフォン用ケース（携帯通信端末用ケース）１の全体構成を示す図で、図１は、ケース本体１０の正面側から見た斜視図、図２は、ケース本体１０の背面側から見た斜視図、図３は、図２のＸ−Ｘ矢視断面を概略的に示す図である。また、図４は、スマートフォン用ケース１を後壁部１２側（背面側）から見た平面図で、図４Ａは、後述する支持部材２０をケース本体１０に対して縦位置に配置した状態、図４Ｂは、支持部材２０をケース本体１０に対して横位置に回動させた状態を示す。なお、図１は、後述する支持部材２０のアーム部２５を引出位置に引き出すと共にヒンジ部２８を折り曲げた状態を示しており、図２は、支持部材２０のアーム部２５を格納位置に格納した状態を示している。また、本実施形態の説明に用いる各図では、スマートフォン用ケース１のケース本体１０にスマートフォン１００を収容した状態（スマートフォン１００にケース本体１０を取り付けた状態）を示している。
【００２２】
本実施形態のスマートフォン用ケース１に収容するスマートフォン１００は、概略長方形状の薄板状の外形を有する携帯型通信端末であり、その前面（正面）の中央には表示画面（タッチパネル部）１１１が設けられている。また、前面の表示画面１１１の下側には操作ボタン１１２が配置されており、前面の表示画面１１１の上側には、静止画又は動画を撮影するための撮影部（前面カメラ部）１１５が設けられている。一方、スマートフォン１００の後面（背面）の上部の隅部近傍にも、静止画又は動画を撮影するための撮影部（背面カメラ部）１２５が設けられている。スマートフォン１００で静止画又は動画を撮影する際には、表示画面１１１をモニタ画面として前面カメラ部１１５又は背面カメラ部１２５を被写体に向けて撮影を行う。
【００２３】
スマートフォン用ケース１は、スマートフォン１００の背面及び外周側面の全体を被覆可能に形成されたケース本体１０と、ケース本体１０の後壁部１２に一体に取り付けられた支持部材２０とを備えている。
【００２４】
ケース本体１０は、スマートフォン１００の背面に相対する後壁部１２と、この後壁部１２の周縁から立設されてスマートフォン１００の外周側面に対応する側壁部１３とを有している。後壁部１２の撮影部１２５に対応する位置には、横向きに延びる長孔状の貫通孔１４が形成されている。
【００２５】
また、側壁部１３には貫通孔１３Ｄ，１３Ｅ，１３Ｆが形成されている。これら貫通孔は、詳細な図示は省略するが、スマートフォン１００のサウンドオン／オフスイッチ、音量調整ボタンなどに対応する位置及び形状に形成されている。ケース本体１０は、合成樹脂製の一体成型品とすることができるほか、アルミニウムなどの金属製であってもよい。
【００２６】
支持部材２０は、後壁部１２の表面１２ａに軸部２１を介して回動可能に取り付けられた中空の基部２３と、基部２３内に収容された多段状のアーム部２５と、アーム部２５の先端に設けられた把持部２７とを備えて構成されている。基部２３は、図２及び図４Ａに示す状態で、ケース本体１０の長手方向（縦方向）に沿って延びる略長方形状の薄型に形成されており、その長さ寸法は、ケース本体１０の長手方向の寸法よりも小さな寸法になっている。この基部２３は、ケース本体１０と同一の材料で構成されていることが望ましい。また、アーム部２５は、比較的に軽量で強度を確保可能な材質で構成されていればよく、例えば、硬質の合成樹脂材やアルミニウムなどの軽金属で構成することができる。また、把持部２７は手の平や指で持つ部分であるため、ゴムや軟質の合成樹脂材などの表面に滑り止めの溝を形成したものとすることが望ましい。
【００２７】
アーム部２５は、各々が略矩形の薄板状（平板状）に形成された複数段の短い連結材２５ａを互いに突出・収容可能に連結することにより全体が伸縮可能に構成されている。これにより、把持部２７を除くアーム部２５の全体が中空の基部２３内に収納可能になっていると共に、基部２３から引き出したアーム部２５（基部２３と把持部２７の間の部分）を任意の長さに調節可能である。なお、基部２３から引き出したアーム部２５は、各段の連結材２５ａが互いに抜けないように抜け止めが施されている。
【００２８】
すなわち、支持部材２０のアーム部２５は、後壁部１２の表面１２ａの領域Ａ（後壁部１２の表面１２ａの周縁部よりも内側の領域をいう、以下同じ。）内に格納された格納位置（図２に示す位置）と、この格納位置から後壁部１２の表面１２ａの領域Ａ外に引き出した引出位置（図１に示す位置）との間で伸縮が可能となっている。
【００２９】
また、アーム部２５が備える複数段の連結材２５ａのうち、基部２３に最も近い連結材２５ａには、アーム部２５をケース本体１０の前後方向に屈曲（回動）させることが可能なヒンジ部２８が設けられている。アーム部２５は、ヒンジ部２８を支点としてその先端側（把持部２７側）をケース本体１０の前後方向に屈曲させることが可能である。
【００３０】
アーム部２５は、最も収縮させたときにその全体が基部２３内に収容されるようになっている。その状態で、基部２３と把持部２７を含む支持部材２０の全体が後壁部１２の表面１２ａの領域Ａ内の格納位置に収まる。その一方で、アーム部２５を一杯に伸長させたときは、その長さが一例としてケース本体１０の長手方向の数倍程の長さになるように設定することが望ましい。
【００３１】
また、図示は省略するが、アーム部２５は、一杯に延ばした状態でその長さを固定することのできるロック機能と、ヒンジ部２８を任意の折曲角度又は複数種類の角度で固定することが可能なロック機構を備えている。また、アーム部２５を任意の長さに延ばした状態でその長さを固定することができるロック機構を設けてもよい。
【００３２】
次に上記構成のスマートフォン用ケース１を用いてスマートフォン１００で自分撮りを行うときの使用方法について説明する。図５〜図７は、スマートフォン用ケース１の使い方を説明するための図で、図５Ａ，図５Ｂは、支持部材２０のアーム部２５を引き出す手順を示す斜視図及び側断面図、図６Ａ，図６Ｂは、支持部材２０のアーム部２５を更に引き出して延ばす手順を示す斜視図及び側断面図、図７Ａ，図７Ｂは、延ばしたアーム部２５を手前側に折り曲げる手順を示す斜視図及び側断面図である。
【００３３】
まず、自分撮りの撮影を行うとき以外の通常時には、先の図２に示すように、支持部材２０のアーム部２５が基部２３内に完全に収容された状態となっている。これにより、支持部材２０はその全体がケース本体１０の後壁部１２の表面１２ａの領域Ａ内に格納された状態となっており、スマートフォン１００を持ち歩いたりポケットや鞄に収納したりする際の邪魔にならないようになっている。
【００３４】
その一方で、スマートフォン１００で自分撮りの撮影を行う際には、図２に示す状態から、図５に示すように把持部２７をケース本体１０から離れる方へ引っ張ることで、アーム部２５を基部２３から引き出す。さらに把持部２７を引っ張ることで、図６に示すように、アーム部２５を基部２３から一杯に引き出して延伸させる。この状態で、アーム部２５の根元近傍に設けたヒンジ部２８が基部２３から露出した状態となる。次に、図７に示すように、ヒンジ部２８を支点にアーム部２５の先端側（把持部２７側）をスマートフォン１００の前面側（表示画面１１１側）へ折り曲げることで、アーム部２５及び把持部２７をケース本体１０に対して所望の角度に屈曲させる。この状態で、把持部２７を手に持ってスマートフォン１００を自分自身の前に掲げる。これにより、スマートフォン１００が撮影者の前方の十分に離間した位置に配置され、スマートフォン１００の表示画面１１１に撮影者自身及び背景が表示される。撮影者はスマートフォン１００の表示画面１１１に表示された画像を見て撮影の構図を決定し、その状態でスマートフォン１００のシャッターを作動させる。スマートフォン１００のシャッターは、タイマーを設定して作動させてもよいし、遠隔操作によって作動させてもよい。
【００３５】
なお、構図の変更は、アーム部２５の引き出し長さを加減したり、ヒンジ部２８の回動角度を調整したりすることで行う。また、図７では縦向きの構図で撮影を行う場合を示しているが、これ以外にも、図４に示すように、支持部材２０をケース本体１０に対して軸部２１を中心に回動させることで、支持部材２０に支持されているスマートフォン１００を縦位置だけでなく横位置にも配置することができる。これにより、縦向きの構図と横向きの構図を任意に選択することができる。また図示は省略するが、支持部材２０に支持されているスマートフォン１００を斜め位置に配置すれば、斜め向きの構図も選択が可能である。
【００３６】
撮影が終わったら、上記とは逆の手順でアーム部２５を縮めて基部２３に収容する。これにより、支持部材２０はその全体がケース本体１０の後壁部１２の領域Ａ内にコンパクトに格納された状態となる、したがって、例えば撮影中や撮影直後に電話がかかってきた場合やメッセージの着信があった場合などにも、直ちにスマートフォン１００を使用することが可能となる。また、スマートフォン１００をそのまま持ち歩いたりポケットや鞄にしまったりすることもできる。
【００３７】
以上説明したように、本実施形態のスマートフォン用ケース１によれば、前面に表示画面１１１を有するスマートフォン１００の後面を覆う後壁部１２と側面を覆う側壁部１３とを備えるケース本体１０と、ケース本体１０の後壁部１２に一体に設けられた伸縮可能なアーム部２５と、アーム部２５の先端に設けた把持部２７と、アーム部２５をケース本体１０の前後方向に屈曲可能とするヒンジ部２８とを含む支持部材２０を備え、支持部材２０は、後壁部１２の表面１２ａの領域Ａ内に格納された格納位置と、この格納位置から後壁部１２の表面１２ａの領域Ａ外に引き出した引出位置との間で伸縮が可能である。
【００３８】
本発明にかかる携帯通信端末用ケースによれば、ケース本体１０の後壁部１２に一体に設けた支持部材２０を備えることで、この支持部材２０でケース本体１０に収納したスマートフォン１００を自分自身から十分に離れた位置に支持することができる。これにより、スマートフォン１００の撮影機能を用いていわゆる自分撮りを行う際に、撮影者とスマートフォン１００との十分な距離を確保でき、撮影者と背景を所望の構図で撮影することができる。特に、撮影者自身を含む複数人を一緒に撮影したい場合でも、手持ちと比較して十分に引いた位置から撮影ができるため、全員と所望の背景が構図に入るようになる。そして、支持部材２０は、ケース本体１０の後壁部１２の表面１２ａの領域Ａ内に格納された格納位置と、この格納位置から後壁部１２の表面１２ａの領域Ａ外に引き出した引出位置との間で伸縮可能な構成であることで、自分撮りを行う際にのみ支持部材２０を引出位置に引き出して使用することができ、それ以外のときは支持部材２０を格納位置に格納しておくことができる。したがって、従来の支持具のようにスマートフォンとは別の器具や装置を持ち歩く必要がなく、かつ、撮影のたびにスマートフォンに着脱する手間を省くことができるので、スマートフォン１００の撮影機能を用いて自分撮りを行う際の利便性が飛躍的に向上する。
【００３９】
また、本実施形態の支持部材２０が備えるアーム部２５は、ヒンジ部２８を折り曲げていない状態で後壁部１２の表面１２ａに沿う薄板状に形成された複数の連結材２５ａを備え、これら複数の連結材２５ａが互いに突出・収容可能に連結した構成である。これによれば、簡単かつ軽量な構成でありながら、格納位置の支持部材２０（アーム部２５）のコンパクト化と、引出位置の支持部材２０（アーム部２５）の十分な長さの確保との両立を図ることができる。また、支持部材２０の厚さを薄くすることができるので、ケース本体１０と支持部材２０を合わせた厚さ寸法の薄型化を図ることができる。
【００４０】
また、本実施形態のスマートフォン用ケース１の支持部材２０は、アーム部２５を収納可能な基部２３と、この基部２３をケース本体１０の後壁部１２に対してその面内で回動可能とする軸部２１とを備えている。
【００４１】
この構成によれば、支持部材２０に支持されたケース本体１０を縦位置（縦向き）と横位置（横向き）の両方に切り替えて配置することができる。これにより、支持部材２０で支持したスマートフォン１００を用いて縦向きの構図の撮影と横向きの構図の撮影の両方を行うことができる。したがって、スマートフォン用ケース１の支持部材２０を用いて自分撮りの撮影を行う際の利便性が更に向上する。
【００４２】
図８は、スマートフォン用ケース１の他の構成例を示す図である。同図に示すように、スマートフォン用ケース１は、支持部材２０を後壁部１２の表面１２ａから突出しないように後壁部１２の内部に配置することも可能である。すなわち、この構成例では、支持部材２０のアーム部２５が後壁部１２の内部（後壁部１２の厚さ寸法の範囲内）に格納されるように構成している。これによれば、スマートフォン用ケース１の更なる薄型化を図ることができると共に、ケース本体１０及び後壁部２０のデザイン性を高めることができる。
【００４３】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態ではケース本体に対して軸部を介して支持部材を回動可能に取り付けた場合を示したが、これ以外にも、図示は省略するが、支持部材２０をケース本体１０に対して回動不能に取り付ける（固定する）ことも可能である。その場合、支持部材２０は基部２３の長手方向がケース本体１０の長手方向に沿う向き（図２に示す向き）に取り付けるとよい。そしてこの場合、撮影者が横向きの構図で撮影するには、ケース本体１０の向きを横向き（横位置）に配置して、支持部材２０をケース本体１０の左側部又は右側部から手前側に引き出すようにする。この状態で撮影を行うことで、横向きの構図での撮影が可能となる。
【００４４】
また、ケース本体１０は、スマートフォン１００をその表示画面１１１を露出させた状態で収容できるものであり、かつスマートフォン１００に対しての取り付け及び取り外しが可能な程度の柔軟性（可撓性）を有するものであれば、その具体的な形状、大きさ、材質等は上記実施形態に示すものに限定されない。
【図１】
2017014227.tif 000003
【図２】
2017014227.tif 000004
【図３】
2017014227.tif 000005
【図４】
2017014227.tif 000006
【図５】
2017014227.tif 000007
【図６】
2017014227.tif 000008
【図７】
2017014227.tif 000009
【図８】
2017014227.tif 000010
【国際調査報告】
2017014227.tif 000011
2017014227.tif 000012
2017014227.tif 000013
2017014227.tif 000014